(57)【要約】【課題】３つのみのパラメータの指定によりコピー原稿を構成する２つのページ群を別々の部数、複写することが可能な複写機を提供する。【解決手段】複数枚の原稿を構成する連続したページからなる第１及び第２のページ群に対してページ群ごとに異なる部数の複写物を得ることが可能な画像形成装置に、原稿を第１及び第２のページ群に分割するためのページ位置、及び第１及び第２のページ群の複写部数を決定するための３つのパラメータをユーザが入力するための部数指示手段５１と、３つのパラメータから原稿を第１及び第２のページ群に分割するためのページ位置、及び第１及び第２のページ群の複写部数を決定する決定手段４５１と、第１のページ群を第１のページ群の複写部数印刷し、第２のページ群を第２のページ群の複写部数印刷する制御を行う印刷制御手段４５３とを備えることによる。【選択図】  図３
2005026908.tif 000002
【特許請求の範囲】
【請求項１】
自動原稿送り装置にセットされた複数枚の原稿を構成する連続したページからなる第１及び第２のページ群に対して前記ページ群ごとに異なる部数の複写物を得ることが可能な画像形成装置において、
前記原稿を第１及び第２のページ群に分割するためのページ位置、及び前記第１及び第２のページ群の複写部数を決定するための３つのパラメータをユーザが入力するための部数指示手段と、
前記３つのパラメータから前記原稿を第１及び第２のページ群に分割するためのページ位置、及び前記第１及び第２のページ群の複写部数を決定する決定手段と、
前記第１のページ群を前記第１のページ群の複写部数印刷し、前記第２のページ群を前記第２のページ群の複写部数印刷する制御を行う印刷制御手段とを備えることを特徴とする画像形成装置。
【請求項２】
前記３つのパラメータは前記第１のページ群の複写部数と前記第２のページ群の複写部数と前記ページ群のどちらか一方の原稿枚数であることを特徴とする請求項１に記載の画像形成装置。
【請求項３】
前記３つのパラメータは前記ページ群のどちらか一方の複写部数と、前記一方のページ群の複写部数と他方のページ群の複写部数の差と、前記ページ群のどちらか一方の原稿枚数であることを特徴とする請求項１に記載の画像形成装置。
【請求項４】
前記ページ群のどちらか一方の原稿枚数は前記第１のページ群の原稿枚数であって、前記第１のページ群は原稿の最初のページを含むものであることを特徴とする請求項２又は３いずれかに記載の画像形成装置。
【請求項５】
前記ページ群のどちらか一方の原稿枚数は前記第２のページ群の原稿枚数であって、前記第２のページ群は原稿の最後のページを含むものであることを特徴とする請求項２又は３いずれかに記載の画像形成装置。
【発明の詳細な説明】
【０００１】
【発明の属する技術分野】
本発明は、自動原稿送り装置にセットされた複数枚の原稿を構成する連続したページからなる第１及び第２のページ群に対して前記ページ群ごとに異なる部数の複写物を得ることが可能な画像形成装置に関する。
【０００２】
【従来の技術】
自動原稿送り装置にセットされた複数枚の原稿の当該原稿を分割した２つのページ群をそれぞれ異なる部数複写するための従来の技術として、特許文献１には自動原稿送り装置を備えると共に、装置本体には、複数枚の原稿の画像を記憶する原稿記憶手段と、複数枚の原稿の画像を原稿記憶手段に一旦記憶した後、丁合しながら複写物を出力する制御を行うと共に、各々の出力部単位毎に、複写する原稿の頁数を任意に選択可能とする制御手段とを備えたことを特徴とする画像形成装置が記載されている。この従来技術においてユーザによる部数の指示は、部数を指定するページ群ごとに開始ページ、終了ページ及び部数を入力することにより行われる。（例えば、特許文献１参照）。
【０００３】
【特許文献１】
特開平１０−１３３５２０号公報
【０００４】
【発明が解決しようとする課題】
上記の従来技術においては前述したようにユーザによる部数の指示は、部数を指定するページ群ごとに開始ページ、終了ページ、部数の３つのパラメータを入力することにより行われている。この場合２つのページ群に対して異なった部数を指定するには６つのパラメータ（開始ページ、終了ページ、部数を２組）を入力しなければならない。しかしながら上記６つの情報を得るのに実際に６つ全ての情報をパラメータとして入力する必要はなく、３つのパラメータ（例えばページ郡が分割される位置及び各ページ群に対する部数）から上記６つの情報を算出することが可能である。従って、上記の従来技術においては上記６つの情報を得るために６つ全てをパラメータとして装置に入力するため操作が煩雑になっている。
【０００５】
本発明は、上記問題点を解決するためになされたものであり、ユーザが３つのパラメータを装置に入力することにより、自動原稿送り装置にセットされた複数枚の原稿を構成する２つのページ群に対して異なった部数を指定することが可能な画像形成装置を提供することが目的である。
【０００６】
【課題を解決するための手段】
請求項１に係る画像形成装置は、自動原稿送り装置にセットされた複数枚の原稿を構成する連続したページからなる第１及び第２のページ群に対して前記ページ群ごとに異なる部数の複写物を得ることが可能な画像形成装置において、前記原稿を第１及び第２のページ群に分割するためのページ位置、及び前記第１及び第２のページ群の複写部数を決定するための３つのパラメータをユーザが入力するための部数指示手段と、前記３つのパラメータから前記原稿を第１及び第２のページ群に分割するためのページ位置、及び前記第１及び第２のページ群の複写部数を決定する決定手段と、前記第１のページ群を前記第１のページ群の複写部数印刷し、前記第２のページ群を前記第２のページ群の複写部数印刷する制御を行う印刷制御手段とを備えることを特徴とする。
【０００７】
この構成によれば、原稿を第１及び第２のページ群に分割するためのページ位置、及び前記第１及び第２のページ群の複写部数を決定するための３つのパラメータをユーザが部数指示手段により入力し、部数決定手段が前記３つのパラメータから原稿を第１及び第２のページ群に分割するためのページ位置、及び前記第１及び第２のページ群の複写部数を決定するので、ユーザが３つのみのパラメータを入力することにより第１のページ群の開始ページ、終了ページ、複写部数及び第２のページ群の開始ページ、終了ページ、複写部数を決定することが出来き、各々を印刷することが出来る。従って、ユーザはより少ないパラメータで複写部数の指定が出来るので煩雑な操作を行う必要がない。
【０００８】
請求項２に係る画像形成装置は、上記構成において、前記３つのパラメータは前記第１のページ群の複写部数と前記第２のページ群の複写部数と前記ページ群のどちらか一方の原稿枚数であることを特徴とする。この構成によれば、第１のページ群に対する複写部数と第２のページ群に対する複写部数をそれぞれパラメータとして入力するので、特に第１のページ群と第２のページ群の内容が連続していない場合等、第１のページ群と第２のページ群の複写部数を分けて考えやすい場合にユーザがパラメータを入力しやすい。
【０００９】
請求項３に係る画像形成装置は、上記構成において、前記３つのパラメータは前記ページ群のどちらか一方の複写部数と、前記一方のページ群の複写部数と他方のページ群の複写部数の差と、前記ページ群のどちらか一方の原稿枚数であることを特徴とする。この構成によれば、原稿全体に対する複写部数と、一方のページ群に対する複写部数の原稿全体の複写部数に対する差をパラメータとして入力するので、特に第１のページ群と第２のページ群の内容が連続している場合等、原稿全体に共通する複写部数を考えてから一方のページ群の複写部数を原稿全体に共通する複写部数との差として考えた方がわかりやすい場合にユーザがパラメータを入力しやすい。
【００１０】
請求項４に係る画像形成装置は、上記構成において、前記ページ群のどちらか一方の原稿枚数は前記第１のページ群の原稿枚数であって、前記第１のページ群は原稿の最初のページを含むものであることを特徴とする。この場合、原稿を分割した２つのページ群のうちの前の方のページ群の枚数と各々のページ群に対する部数をユーザは入力するので、前の方のページ群の枚数を知っている場合にユーザがパラメータを入力しやすい。
【００１１】
請求項５に係る画像形成装置は、上記構成において、前記ページ群のどちらか一方の原稿枚数は前記第２のページ群の原稿枚数であって、前記第２のページ群は原稿の最後のページを含むものであることを特徴とする。この場合、原稿を分割した２つのページ群のうちの後の方のページ群の枚数と各々のページ群に対する部数をユーザは入力するので、後の方のページ群の枚数を知っている場合にユーザがパラメータを入力しやすい。
【００１２】
【発明の実施の形態】
以下、本発明の一実施の形態による画像形成装置である複写機の一例としてデジタル複合機について図面を参照しながら説明する。図１は、本発明の一実施の形態によるコピー機能が組み込まれたデジタル複合機の機械的構成を主に示す側面概略図である。
【００１３】
デジタル複合機１は、スキャナ機能、ファクシミリ機能、プリンタ機能、及びコピー機能等の複合機能を備えたデジタル方式の複写機である。デジタル複合機１では、上記の各機能を組み合わせて種々の機能が実現される。
【００１４】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１５】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザがコピー実行指令等を入力するために用いられ、テンキー４０３は、コピー部数等を入力するために用いられる。
【００１６】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１７】
本体部２００は、複数の給紙カセット２０１、複数の給紙ローラ２０２、転写ローラ２０３、感光体ドラム２０４、露光装置２０５、現像装置２０６、定着ローラ２０７、排出口２０８、及び排出トレイ２０９等を備える。
【００１８】
感光体ドラム２０４は、矢印方向に回転しながら帯電装置（図示省略）によって一様に帯電される。露光装置２０５は、原稿読み取り部５００において読み取られた原稿の画像データに基づいて生成された変調信号をレーザ光に変換して出力し、感光体ドラム２０４に静電潜像を形成する。現像装置２０６は、所定の現像剤を感光体ドラム２０４に供給してトナー画像を形成する。
【００１９】
一方、給紙ローラ２０２は、用紙が収納された給紙カセット２０１から用紙を引き出し、転写ローラ２０３まで給送する。転写ローラ２０３は、搬送された用紙に感光体ドラム２０４上のトナー像を転写させ、定着ローラ２０７は、転写されたトナー像を加熱して用紙に定着させる。その後、用紙は、本体部２００の排出口２０８から用紙後処理部３００に搬入される。また、用紙は、必要に応じて排出トレイ２０９へも排出される。
【００２０】
用紙後処理部３００は、搬入口３０１、用紙搬送部３０２、搬出口３０３及びスタックトレイ３０４等を備える。用紙搬送部３０２は、排出口２０８から搬入口３０１に搬入された用紙を順次搬送し、最終的に搬出口３０３からスタックトレイ３０４へ用紙を排出する。スタックトレイ３０４は、搬出口３０３から搬出された用紙の集積枚数に応じて矢印方向に上下動可能に構成されている。
【００２１】
図２は、図１に示すデジタル複合機１の電気的構成を主に示すブロック図である。デジタル複合機１は、スキャナ部１１、画像処理部２１、プリンタ部３１、制御部４１、操作パネル部５１、ファクシミリ通信部６１、ネットワークＩ／Ｆ（インターフェース）部６２、パラレルＩ／Ｆ部６３、シリアルＩ／Ｆ部６４及びＨＤＤ（ハードディスクドライブ）６５を備える。
【００２２】
スキャナ部１１、画像処理部２１、制御部４１、操作パネル部５１及びネットワークＩ／Ｆ部６２は、図１に示す操作部４００、原稿読み取り部５００及び原稿給送部６００に相当し、これらの各部によりスキャナ機能が実現される。スキャナ部１１、画像処理部２１、プリンタ部３１、制御部４１、操作パネル部５１及びファクシミリ通信部６１は、図１に示す本体部２００、操作部４００、原稿読み取り部５００及び原稿給送部６００に相当し、これらの各部によりファクシミリ機能が実現される。画像処理部２１、プリンタ部３１、制御部４１、操作パネル部５１、ネットワークＩ／Ｆ部６２及びパラレルＩ／Ｆ部６３は、図１に示す本体部２００及び操作部４００に相当し、これらの各部によりプリンタ機能が実現される。スキャナ部１１、画像処理部２１、プリンタ部３１、制御部４１、操作パネル部５１及びネットワークＩ／Ｆ部６２は、図１に示す本体部２００、用紙後処理部３００、操作部４００、原稿読み取り部５００及び原稿給送部６００に相当し、これらの各部によりコピー機能が実現される。
【００２３】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、コピー機能実行時には、原稿サイズ、コピーサイズ、複写部数等に関する情報を表示するとともに、ユーザが当該部分をタッチすることにより種々の操作指令を入力するための操作ボタン等を表示する。操作キー部５３は、ユーザがコピー実行指令等を入力するために用いられる。
【００２４】
制御部４１は、スキャナコントローラ４２、ファクシミリコントローラ４３、プリンタコントローラ４４及びコピーコントローラ４５として機能する。制御部４１は、マイクロコンピュータ及び専用のハードウエア回路等から構成され、装置全体の動作を制御する。スキャナコントローラ４２は、スキャナ機能を実現するために用いられる各部の動作を制御する。ファクシミリコントローラ４３は、ファクシミリ機能を実現するために用いられる各部の動作を制御する。プリンタコントローラ４４は、プリンタ機能を実現するために用いられる各部の動作を制御する。コピーコントローラ４５は、コピー機能を実現するために用いられる各部の動作を制御する。
【００２５】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２６】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１、ファクシミリ通信部６１又はネットワークＩ／Ｆ部６２等へ出力する。補正部２２は、読み取られた画像データに対してレベル補正、Ｙ補正等の所定の補正処理を行う。画像加工部２３は、画像データの圧縮又は伸張処理、及び拡大又は縮小処理等の種々の加工処理を行う。
【００２７】
プリンタ部３１は、図１に示す給紙カセット２０１及び給紙ローラ２０２等から構成される用紙搬送部３２、図１に示す感光体ドラム２０４、露光装置２０５、現像装置２０６等から構成される画像形成部３３、図１に示す転写ローラ２０３等から構成される転写部３４、及び図１に示す定着ローラ２０７等から構成される定着部３５を含む。プリンタ部３１は、スキャナ部１１により読み取られた原稿データ、ネットワークＩ／Ｆ部６２を介してＬＡＮ（Ｌｏｃａｌ  Ａｒｅａ  Ｎｅｔｗｏｒｋ）によりクライアントＰＣ（パーソナルコンピュータ）等から送信された印刷データ、ファクシミリ通信部６１を用いて外部のファクシミリ装置等から受信したファクスデータ等の画像データを用いて画像を用紙に印刷する。具体的には、用紙搬送部３２は用紙を画像形成部３３へ搬送し、画像形成部３３は上記の画像データに対応するトナー像を形成し、転写部３４はトナー像を用紙に転写し、定着部３５はトナー像を用紙に定着させて画像を形成する。
【００２８】
ファクシミリ通信部６１は、符号化／復号化部（図示省略）、変復調部（図示省略）及びＮＣＵ（Ｎｅｔｗｏｒｋ  Ｃｏｎｔｒｏｌ  Ｕｎｉｔ）（図示省略）を含む。ファクシミリ通信部６１は、スキャナ部１１によって読み取られた原稿の画像データを電話回線を介してファクシミリ装置等へ送信したり、ファクシミリ装置等から送信された画像データを受信する。符号化／復号化部は、送信する画像データを圧縮・符号化し、受信した画像データを伸長・復号化する。変復調部は、圧縮・符号化された画像データを音声信号に変調したり、受信した信号（音声信号）を画像データに復調する。ＮＣＵは、送受信先となるファクシミリ装置等との電話回線による接続を制御する。
【００２９】
ネットワークＩ／Ｆ部６２は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信された印刷データ等を受信する。パラレルＩ／Ｆ部６３は、高速双方向パラレルインターフェイス（ＩＥＥＥ１２８４準拠）等を用い、複数の信号線を用いて複数ビット単位でデータを送信するパラレル伝送により外部機器等から印刷データ等を受信等する。シリアルＩ／Ｆ部６４は、シリアルインターフェイス（ＲＳ−２３２Ｃ）等を用い、単一の信号線を用いて１ビットずつ順次データを送るシリアル伝送により外部機器等から種々のデータ等を受信等する。
【００３０】
ＨＤＤ６５は、スキャナ部１１によって読み取られた画像データ及び当該画像データに設定されている出力形式等の種々のデータ等を記憶する。ＨＤＤ６５に記憶されている画像データは、デジタル複合機１内部で使用されるだけでなく、必要に応じて、ネットワークＩ／Ｆ部６２を介してクライアントＰＣ等から確認したり、クライアントＰＣ等の所定のフォルダへ転送される。
【００３１】
上記のように、デジタル複合機１は、スキャナ機能、ファクシミリ機能、プリンタ機能、コピー機能等の種々の機能を実行可能なように構成されており、複写機として使用することが出来る。本実施形態においては、デジタル複合機１を特に複写機として使用する。
【００３２】
図３は、図２に示す電気的構成のうち特に複写機能に係る部分である操作パネル部５１、スキャナ部１１、画像処理部２１、プリンタ部３１及び制御部４１内のコピーコントローラ４５と、コピーコントローラ４５において特に本発明に係る機能の構成を示すブロック図である。以下に特にコピーコントローラ４５の各機能を中心として説明を行う。
【００３３】
操作パネル部５１は、複写（コピー）において、ユーザによる用紙選択、縮小／拡大、濃度設定、部数設定等の各種のコピー条件の設定、及びコピー開始指示の入力に主に使用される。ユーザにより操作パネル部５１にコピー開始指示が入力されるとコピー条件とコピー開始指示信号が操作パネル部５１から制御部４１のコピーコントローラ４５へ送信される。コピー条件についてはユーザが設定したものにはユーザが設定した値が、ユーザが設定していないものにはデフォルト値が送信される。コピー開始指示は例えば操作キー部５３のスタートキーをユーザが押すことにより入力され、操作パネル部５１はこれを検知することによりコピー開始指示を受け付ける。
【００３４】
操作パネル部５１は、コピー条件の設定の１つとして本発明に係る複写部数の設定（コピー原稿を構成する２つのページ群に対するそれぞれ別の複写部数の設定）にも使用される（以下では本発明に係る複写部数の設定を従来の部数設定と区別するために特に複数部数設定という。）。
【００３５】
ユーザによる操作パネル部５１を使用した複数部数設定は次の手順で行われる。操作パネル部５１がタッチパネル部５２に図４（ａ）に示すコピー条件設定画面を表示した状態で、ユーザが「複数部数設定」キー５２１を押下したことを操作パネル部５１が検知すると操作パネル部５１は図４（ｂ）に示す複数部数設定画面をタッチパネル部５２に表示する。この画面においてユーザは操作キー部５３のテンキーを使用して、コピー原稿を分割した２つのページ群のうち前の方のページ群に対する複写部数（以下、第１部数という。）、後の方のページ群に対する複写部数（以下、第２部数という。）、前の方のページ群の枚数（以下、第１部数枚数という。）をそれぞれタッチパネル上の位置５２２、５２３、及び５２４に入力を行う。入力位置を指定するには各入力位置を押下することにより指定すればよい。上記の３つのパラメータを入力後、複数部数設定画面においてユーザが「確定」キー５２５を押下したことを操作パネル部５１が検知すると、操作パネル部５１は入力されたパラメータを複数部数設定の設定パラメータ（コピー条件）として記憶しタッチパネル部５２の画面をコピー条件設定画面（図４（ａ））に戻す。
【００３６】
コピーコントローラ４５はパラメータ決定制御（パラメータ決定部４５１における制御）として、操作パネル部５１から送信された複数部数設定のパラメータをコピー条件設定の一つとしてコピーコントローラ４５が受信し記憶する。またコピーコントローラ４５は複数部数設定がされていることを複数部数設定フラグを立てることにより管理する。受信する複数部数設定パラメータはここでは例えば、コピー原稿を分割した２つのページ群のうち前の方のページ群に対する複写部数（第１部数）と、後の方のページ群に対する複写部数（第２部数）と、前の方のページ群の枚数（第１部数枚数）である。
【００３７】
コピーコントローラ４５は画像読取制御（画像読取部４５２における制御）として、操作パネル部５１からコピー開始指示信号を受信したことを契機に画像読取制御を開始する。コピーコントローラ４５はスキャナ部１１に原稿読取の指示を出す。スキャナ部１１は原稿給送部６００にコピー原稿がセットされているか否かを判断し、セットされていれば原稿給送部６００にコピー原稿を給送するよう指示を出す。本発明は自動原稿送り装置（原稿給送部６００）によりコピー原稿が給送される場合におけるものであるので自動原稿送り装置が使用されない場合については本実施形態では特に説明しない。原稿給送部６００は順次コピー原稿を原稿読み取り部５００に給送し、原稿読み取り部５００は給送されたコピー原稿を順次読み取る。原稿読み取り部５００はコピー原稿を読み取るのと同時にその枚数をカウントする。スキャナ部１１はコピー原稿から読み取られた画像データを画像処理部２１の画像メモリ２４に格納し、画像処理部２１はそのページ情報を管理する。スキャナ部１１はカウントしたコピー原稿の枚数をコピーコントローラ４５に送信し、コピーコントローラ４５はこれを受信し記憶する。
【００３８】
コピーコントローラ４５は印刷制御（印刷部４５３における制御）として、複数部数設定がされているか否かを複数部数設定フラグをチェックすることにより判断し、複数部数設定がされている場合には第１部数、第２部数、第１部数枚数、及び原稿枚数の４つのパラメータを使用して以下の３つのケースに場合分けし、それぞれのケースに応じた印刷制御を行う。３つのケースとは、全てのページに対する複写部数が同じケース（ケース１）と、前の方のページ群が後の方のページ群より複写部数が多いケース（ケース２）と、後の方のページ群が前の方のページ群より複写部数が多いケース（ケース３）である。
【００３９】
コピーコントローラ４５はケース１の場合には、全てのページを第１部数分印刷するよう制御を行う。ケース２の場合には、全てのページを第２部数分印刷し、その後、前の方のページ群を第１部数と第２部数の差分だけ印刷するよう制御を行う。ケース３の場合には、全てのページを第１部数分印刷し、その後、後の方のページ群を第１部数と第２部数の差分だけ印刷するよう制御を行う。
【００４０】
コピーコントローラ４５は上記場合分けを行った後は第１部数、第２部数、第１部数枚数、及び原稿枚数を使用して開始ページ番号、終了ページ番号、及び複写部数を決定し、プリンタ部３１に１ページごとに印刷条件を指定して印刷指示を行い、開始ページ番号から終了ページ番号まで複写部数分の印刷を行う。具体的にはケース１では開始ページ番号を「１」、終了ページ番号を原稿枚数、複写部数を第１部数に設定して印刷する。ケース２では開始ページ番号を「１」、終了ページ番号を原稿枚数、複写部数を第２部数に設定してまず印刷し、その後、開始ページ番号を「１」、終了ページ番号を第１部数枚数、複写部数を第１部数から第２部数を引いた値に設定して印刷する。ケース３では開始ページ番号を「１」、終了ページ番号を原稿枚数、複写部数を第１部数に設定してまず印刷し、その後、開始ページ番号を第１部数枚数に１を加えた値、終了ページ番号を原稿枚数、複写部数を第２部数から第１部数を引いた値に設定して印刷する。
【００４１】
コピーコントローラ４５は操作部数設定以外にも操作パネル部５１を使用してユーザが設定した又はデフォルト値として予め設定されているコピー条件を受信し、画像処理部２１に指示を出したり、プリンタ部に必要な指示を出したりしてコピー条件を満たす制御を行う。例えばコピー条件には拡大／縮小、色の濃さ、用紙選択、集約等がある。これらの内、拡大／縮小や集約はコピーコントローラ４５が画像処理部２１の画像加工部２３に拡大倍率、縮小倍率、集約条件（２ページ分を１ページにする等）を指示することにより画像の加工として行わせる。濃度設定や用紙設定はコピーコントローラ４５がプリンタ部３１に色の濃度や給紙トレイや手差しトレイを指示することにより印刷時の設定とする。
【００４２】
次に図５のフローチャートに従い上記デジタル複合機１における複写部数の設定及びコピー開始指示入力受付の処理の流れを説明する。Ｓ１では、タッチパネル部５２に図４（ａ）に示すコピー条件設定画面が表示されている場合において、操作パネル部５１はユーザからのコピー条件設定の指示として「複数部数設定」キーが押下されたか否かをチェックする。「複数部数設定」キーが押下されたことを検知した場合（Ｓ１でＹＥＳ）、Ｓ３に進む。Ｓ３では、操作パネル部５１はタッチパネル部５２に図４（ｂ）に示す複数部数入力画面を表示する。
【００４３】
Ｓ５では、ユーザは複数部数入力画面の所定の位置、例えば第１部数に対してタッチパネル上の位置５２２、第２部数に対して位置５２３、第１部数枚数に対して位置５２４、にそれぞれ第１部数、第２部数、第１部数枚数の値、例えばここでは第１部数に１０、第２部数に６、第１部数枚数に３、を入力し、入力が完了したら確定キーを押下する。操作パネル部５１は確定キーが押下されたか否かをチェックし、確定キーが押下されたことを検知したら（Ｓ５でＹＥＳ）、操作パネル部５１は上記の入力内容を一時的に記憶し複数部数入力画面を終了してコピー条件設定画面に戻りＳ７に進む。Ｓ１の分岐で複数設定キーが押下されたことを検知しなかった場合も（Ｓ１でＮＯ）、Ｓ７へ進む。確定キーが押下されたことを検知しなければ（Ｓ５でＮＯ）、Ｓ５を繰り返す。
【００４４】
Ｓ７では、操作パネル部５１は複数部数設定以外のコピー条件の設定が指示されたか否かをチェックし、指示されていればＳ９に進みその設定を受け付ける。指示されていなければＳ１１に進む。Ｓ１１では、操作パネル部５１は操作キー部５３のＳＴＡＲＴキーが押下されたか否かをチェックする。ＳＴＡＲＴキーが押下されたことを検知したら（Ｓ１１でＹＥＳ）、Ｓ１３へ進む。Ｓ１３では、複数部数設定を含む全コピー条件設定内容及びコピー開始指示信号を制御部４１のコピーコントローラ４５に送信する。ＳＴＡＲＴキーが押下されなければ（Ｓ７でＮＯ）、Ｓ１に戻る。
【００４５】
次に図６のフローチャートを使用して、第１部数に１０、第２部数に６、第１部数枚数に３が指定され、原稿枚数５枚のコピー原稿を複写する場合のコピーコントローラ４５の処理の流れを説明する。ここでは複数部数設定以外のコピー条件に対する制御は特に考えないこととする。Ｓ２１では、コピーコントローラ４５は操作パネル部５１からコピー開始指示信号を受信したか否かをチェックする。コピー開始指示信号を受信したことを検知したら（Ｓ２１でＹＥＳ）、Ｓ２３に進む。コピー開始指示信号の受信を検知しなかったらＳ２１の処理を繰り返す。Ｓ２３では、ユーザが複数部数設定のために操作パネル部５１に入力したパラメータである第１部数、第２部数、及び第１部数枚数を含むコピー条件を操作パネル部５１から受信したか否かをチェックする。ここでは例えば複数部数設定のパラメータは第１部数が１０、第２部数が６、第１部数枚数が３である。コピー条件を受信したことを検知したら（Ｓ２３でＹＥＳ）、Ｓ２５に進む。コピー条件の受信を検知しなかったら受信するまでＳ１３の処理を繰り返す。
【００４６】
Ｓ２５では、コピーコントローラ４５は複数部数設定の３つのパラメータを含むコピー条件を記憶する。またここでは複数部数設定のパラメータを受信したので複数部数設定フラグを立てる。Ｓ２７では、コピーコントローラ４５はスキャナ部１１にコピー原稿の読み込みを指示する。スキャナ部１１は原稿給送部６００（自動原稿送り装置）にセットされたコピー原稿から画像データを読み取り画像メモリ２４に格納する。またこれと同時に、スキャナ部１１は読み取ったコピー原稿の枚数（原稿枚数）を取得しコピーコントローラ４５に送信する。ここでは例えば原稿枚数は５であり、原稿枚数として５を送信する。Ｓ２９では、コピーコントローラ４５はスキャナ部１１から受信した原稿枚数を記憶する。コピーコントローラ４５は複数部数設定フラグが立っていることを確認して以下で複数部数設定に対する複写の制御を行う。
【００４７】
Ｓ３１では、コピーコントローラ４５は原稿枚数が第１部数枚数より大きいか否かを判定する。原稿枚数が第１部数枚数より大きければ複数部数印刷が正常に指定されていることとなる。この場合Ｓ３３へ進む。ここでは例えば原稿枚数が５枚、第１部数枚数が３枚であるのでＳ３３へ進む。Ｓ３３では、コピーコントローラ４５は第１部数が第２部数より大きいか否かを判定する。第１部数が第２部数より大きければＳ３５へ進む。ここでは例えば第１部数は「１０」で第２部数は「６」であるのでＳ３５へ進む。Ｓ３５では、「１」を開始ページ番号、原稿枚数を終了ページ番号、第２部数を複写部数に設定してプリンタ部３１を制御して画像メモリ２４に格納した画像データの印刷を行う。ここでは例えば開始ページ番号が「１」、終了ページ番号が「５」、複写部数が「６」となる。Ｓ３７では、「１」を開始ページ番号、第１部数枚数を終了ページ番号、第１部数から第２部数を引いた数を複写部数に設定してプリンタ部３１を制御して画像メモリ２４に格納した画像データの印刷を行う。ここでは例えば開始ページ番号が「１」、終了ページ番号が「３」、複写部数が「４」となる。
【００４８】
Ｓ３３の分岐で第１部数が第２部数以下であった場合はＳ３９へ進む。Ｓ３９では、コピーコントローラ４５は第１部数が第２部数より小さいか否かを判定する。第１部数が第２部数より小さければＳ４１へ進む。Ｓ４１では、「１」を開始ページ番号、原稿枚数を終了ページ番号、第１部数を複写部数に設定してプリンタ部３１を制御して画像メモリ２４に格納した画像データの印刷を行う。Ｓ４３では、第１部数枚数に１を加えた数を開始ページ番号、原稿枚数を終了ページ番号、第２部数から第１部数を引いた数を複写部数に設定してプリンタ部３１を制御して画像メモリ２４に格納した画像データの印刷を行う。
【００４９】
Ｓ３１の分岐で原稿枚数が第１部数枚数以下であった場合、又はＳ３９の分岐で第１部数が第２部数以上であった場合（つまり第１部数と第２部数が同数であった場合）はＳ４５へ進む。Ｓ４５では、「１」を開始ページ番号、原稿枚数を終了ページ番号、第１部数を複写部数に設定してプリンタ部３１を制御して画像メモリ２４に格納した画像データの印刷を行う。
【００５０】
Ｓ３５、Ｓ３７、Ｓ４１、Ｓ４３、Ｓ４５の印刷処理の詳細はサブルーチン化して図７のフローチャートに示してあるので以下にこれらのステップの処理を図７を使用して説明する。
【００５１】
Ｓ５１では、コピーコントローラ４５は開始ページ番号として設定されている番号を取得する。Ｓ５３では、コピーコントローラ４５は終了ページ番号として設定されている番号を取得する。Ｓ５５では、コピーコントローラ４５は複写部数として設定されている番号を取得する。Ｓ５７では、コピーコントローラ４５は部数カウンタ「ｊ」に１を代入する。Ｓ５９では、コピーコントローラ４５はページカウンタ「ｉ」に開始ページ番号を代入する。Ｓ６１では、コピーコントローラ４５はプリンタ部３１に画像メモリ２４に格納されている画像データの「ｉ」ページ目を印刷するよう指示する。コピーコントローラ４５はこの指示と共に印刷条件、例えば用紙選択や色の濃さ等、をプリンタ部３１に送信する。プリンタ部３１はコピーコントローラ４５からの印刷指示に従い画像メモリ２４から「ｉ」ページ目の画像データを取得し、コピーコントローラ４５から指定された印刷条件に従って１ページ分の画像データを印刷する。
【００５２】
Ｓ６３では、コピーコントローラ４５は次のページを印刷するため「ｉ」をインクリメントする。Ｓ６５では、コピーコントローラ４５は「ｉ」が最終ページ番号より小さいか否かをチェックする。「ｉ」が最終ページ番号より小さければ（Ｓ６５でＹＥＳ）、次のページを印刷するためにＳ６１に戻る。「ｉ」が最終ページ番号以上であれば（Ｓ６５でＮＯ）、Ｓ６７へ進む。Ｓ６７では開始ページから再度印刷するためにコピーコントローラ４５は部数カウンタ「ｊ」をインクリメントする。Ｓ６９では、コピーコントローラ４５は「ｊ」が複写部数より小さいか否かをチェックする。「ｊ」が複写部数より小さければ（Ｓ６９でＹＥＳ）、Ｓ５９に戻って開始ページから再度印刷を開始する。Ｓ６９の分岐で「ｊ」が複写部数以上であれば（Ｓ６９でＮＯ）、印刷を終了する。
【００５３】
このように本実施形態によればコピー原稿を分割した２つのページ群のうち前の方のページ群に対する複写部数（第１部数）と、後の方のページ群に対する複写部数（第２部数）と、前の方のページ群の枚数（第１部数枚数）の３つのパラメータをユーザが操作パネル部５１を使用して指定し、これらのパラメータに基づいて装置がコピー原稿を第１及び第２のページ群に分割するためのページ位置、及び前記第１及び第２のページ群の複写部数を決定し、複写を行ったので、３つのみのパラメータの指定によりコピー原稿を分割した２つのページ群を別々の複写部数、複写することが出来る。これによりユーザは煩雑なパラメータ設定操作を行う必要がない。
【００５４】
本実施形態においては、ユーザは３つのパラメータとしてコピー原稿を分割した２つのページ群のうち前の方のページ群に対する複写部数（第１部数）と、後の方のページ群に対する複写部数（第２部数）と、前の方のページ群の枚数（第１部数枚数）を指定したが、設定するパラメータは上記の３つでなくともコピー原稿を第１及び第２のページ群に分割するためのページ位置、及び前記第１及び第２のページ群の複写部数が決定可能な３つのパラメータであればどんなものでもよい。例えば、コピー原稿を分割した２つのページ群のうち前の方のページ群に対する複写部数と、後の方のページ群に対する複写部数と、後の方のページ群の枚数の３つのパラメータや、コピー原稿を分割した２つのページ群のどちらか一方の複写部数と、この一方のページ群の複写部数と他方のページ群の複写部数の差と、ページ群のどちらか一方の原稿枚数の３つのパラメータであってもよい。
【００５５】
本実施形態におけるデジタル複合機は本発明に係る部数設定（複数部数設定）と通常の部数設定の両方をもつが、両者の設定は共に有効には出来ない所謂排他的なコピー条件である。従って一方が設定されている場合や一方が設定されている場合にユーザが他方を設定しようとした場合には、その旨をユーザに報知するようにすることが望ましい。例えば一方が設定されている場合には、有効になっている方の設定キーを既に設定されていることを表すために通常と違う表示、例えば反転表示、にするか、有効になっていない方の設定キーを設定に対する警告を表すために通常と違う表示、例えば網掛け表示、にするとよい。また、一方が設定されている場合にユーザが他方を設定しようとした場合には、その旨をメッセージ等でユーザに報知するとよい。この場合には警告メッセージと共に一方をユーザが選択するための選択画面を表示してユーザに意思確認を行うようにしてもよい。
【００５６】
【発明の効果】
請求項１に記載の発明によれば、原稿を第１及び第２のページ群に分割するためのページ位置、及び前記第１及び第２のページ群の複写部数を決定するための３つのパラメータをユーザが部数指示手段により入力し、部数決定手段が前記３つのパラメータから原稿を第１及び第２のページ群に分割するためのページ位置、及び前記第１及び第２のページ群の複写部数を決定するので、ユーザが３つのみのパラメータを入力することにより第１のページ群の開始ページ、終了ページ、複写部数及び第２のページ群の開始ページ、終了ページ、複写部数を決定することが出来き、各々を印刷することが出来る。従って、ユーザはより少ないパラメータで複写部数の指定が出来るので煩雑な操作を行う必要がない。
【００５７】
請求項２に記載の発明によれば、第１のページ群に対する複写部数と第２のページ群に対する複写部数をそれぞれパラメータとして入力するので、特に第１のページ群と第２のページ群の内容が連続していない場合等、第１のページ群と第２のページ群の複写部数を分けて考えやすい場合にユーザがパラメータを入力しやすい。
【００５８】
請求項３に記載の発明によれば、原稿全体に対する複写部数と、一方のページ群に対する複写部数の原稿全体の複写部数に対する差をパラメータとして入力するので、特に第１のページ群と第２のページ群の内容が連続している場合等、原稿全体に共通する複写部数を考えてから一方のページ群の複写部数を原稿全体に共通する複写部数との差として考えた方がわかりやすい場合にユーザがパラメータを入力しやすい。
【００５９】
請求項４に記載の発明によれば、原稿を分割した２つのページ群のうちの前の方のページ群の枚数と各々のページ群に対する部数をユーザは入力するので、前の方のページ群の枚数を知っている場合にユーザがパラメータを入力しやすい。
【００６０】
請求項５に記載の発明によれば、原稿を分割した２つのページ群のうちの後の方のページ群の枚数と各々のページ群に対する部数をユーザは入力するので、後の方のページ群の枚数を知っている場合にユーザがパラメータを入力しやすい。
【図面の簡単な説明】
【図１】本発明の一実施の形態によるデジタル複合機の機械的構成を主に示す側面概略図である。
【図２】図１に示すデジタル複合機の電気的構成を主に示すブロック図である。
【図３】図２に示すブロック図のうち特に本発明にかかる部分のデジタル複合機の電気的構成と制御部内の機能構成を示すブロック図である。
【図４】本発明に係る複写部数指定における操作パネル部の表示の例を示す図である。
【図５】本発明に係る複写部数指定時における操作パネル部の処理の流れを示すフローチャートを示す図である。
【図６】本デジタル複合機の複写時の処理の流れを示すフローチャートを示す図である。
【図７】本デジタル複合機の複写時の特に印刷制御の処理の流れを示すフローチャートを示す図である。
【符号の説明】
１  デジタル複合機（画像形成装置）
１１  スキャナ部
２１  画像処理部
２２  画像加工部
２３  画像メモリ
３１  プリンタ部
４１  制御部
４５  コピーコントローラ
５１  操作パネル部（部数指定手段）
５２  タッチパネル部
５３  操作キー部
４５１  パラメータ決定部（決定手段）
４５２  画像読取部
４５３  印刷部（印刷制御手段）
６００  原稿給送部（自動原稿送り装置）
【図１】
2005026908.tif 000003
【図２】
2005026908.tif 000004
【図３】
2005026908.tif 000005
【図４】
2005026908.tif 000006
【図５】
2005026908.tif 000007
【図６】
2005026908.tif 000008
【図７】
2005026908.tif 000009